(57)【要約】【課題】              普段の段階では堅固な状態にて閉鎖状態を実現する一方、必要に応じて用意に開放可能であり、しかも開放した後に容易に閉鎖状態に復旧できるような隔て板の構成を提供すること。【解決手段】  マンション等におけるバルコニーを区分する隔て板１であって、当該隔て板１の一方側端部又はその付近は、水平方向又は鉛直方向に回転自在に支持されており、前記回転自在に支持された部位以外の位置において周囲の枠３から弾性体２を突設し、当該弾性体２又は隔て板１の端部に凹部５に設けることによって弾性体２と隔て板１の端部とが相互に嵌合及び挟持しあう状態とすることによって、隔て板１の閉鎖状態を実現することが可能であると共に、人力による弾性変形を原因として開放状態及び閉鎖状態への復元を可能とすることに基づき、前記課題を達成することができる隔て板１。【選択図】          図１
0003127746.tif 000002
【実用新案登録請求の範囲】
【請求項１】
マンション又はビルディングにおけるバルコニーを区分する隔て板であって、当該隔て板の一方側端部又はその付近は、蝶番又は両側から突出したビスによって水平方向又は鉛直方向に回転自在に支持されており、前記回転自在に支持された部位以外の位置において周囲の枠から突設された弾性体が隔て板の端部に設けられた凹部に嵌合し、かつ挟持されることによって閉鎖状態を実現することが可能であると共に、人力による弾性変形を原因として前記弾性体の嵌合及び挟持の状態を外すことによって開放状態を実現すること及び当該開放状態から人力による弾性変形を原因として前記凹部による嵌合及び挟持の状態に復元することによって、閉鎖状態に戻ることが可能であることに基づく隔て板。
【請求項２】
マンション又はビルディングにおけるバルコニーを区分する隔て板であって、当該隔て板の一方側端部は蝶番又は両側から突出したビスによって水平方向又は鉛直方向に回転自在に支持されており、前記回転材に支持されている部位以外の位置において、周囲の枠から先端に凹部を有する弾性体を突設し、隔て板の端部が当該凹部に嵌合し、かつ挟持されることによって閉鎖状態を実現することが可能であると共に、人力による弾性変形を原因として前記凹部による嵌合及び挟持の状態を外すことによって開放状態を実現すること及び当該開放状態から人力による弾性変形を原因として前記弾性体を前記嵌合及び挟持の状態を復元することによって、閉鎖状態に戻ることが可能であることに基づく隔て板。
【請求項３】
隔て板を二段構成とし、下側の隔て板について弾性体との嵌合及び挟持を実現し得ることを特徴とする請求項１，又は２記載の隔て板。
【請求項４】
隔て板の素材として、エンジニアリングプラスチックを採用したことを特徴とする請求項１，又は２記載の隔て板。
【考案の詳細な説明】
【技術分野】
【０００１】
本考案は、マンションやビルディングにおいて部屋構造から外側に設けられているバルコニー又はベランダ（以下「バルコニー」の用語によって統一して表現することにする）の各区画を区分するために設けられている隔て板に関するものである。
【背景技術】
【０００２】
隔て板は、前記バルコニーにおいて、普段は区画領域を区分すると共に、火事、地震等の非常時には、人間が通過可能な状態とするために、通常人の腕力によって十分破断され得るような素材が採用されている。
【０００３】
しかしながら、バルコニーにおける区画領域を直接移動することは、必ずしも前記のような非常時だけでなく、バルコニーを含む建物の工事においても必要が生じることがあり、日常生活においても特に隣接する区画の所有者が同一である場合、又は密接な関係にある場合には、前記直接移動の必要性が生ずることを否定することができない。
【０００４】
このような場合、隔て板を一度破断した場合には、区画領域を区分する機能を発揮することが不可能であることから、隔て板を破談せずに開閉自在とすることが必要とならざるを得ない。
【０００５】
従来技術においては、スライドによって開閉自在状態を実現する構成が提唱されている。
しかしながら、このような方式では、開閉によって通過可能な隔て板の面方向による範囲は精々１／２に過ぎず、しかもスライドを実現するための溝又はレールを不可欠としており、経済コストの点において不利である。
【０００６】
他方、隔て板を上下２段構成とし、下側の隔て板について略矩形状の周囲の枠をジッパーを介して接続し、隔て板を開いた状態とする場合にはジッパーを外したうえで、下側の隔て板を枠から取り外す構成が提唱されている。
【０００７】
しかしながら、このような構成もまたジッパーを介して周囲の枠と接続する構成が複雑であるとともに、一度下側の隔て板を外した場合には、改めて閉鎖状態するためには、煩雑な作業を不可欠とする。
【０００８】
これらの従来技術からも明らかなように、普段は比較的堅固な状態において隔て板を閉鎖状態とし、必要に応じて容易に開放状態を実現することが可能であり、しかも一度開放した後に容易に元の閉鎖状態に復旧できるような隔て板の構成はこれまで提唱されていなかった。
【特許文献１】特開平１１−１０７３６４
【特許文献２】特開平１１−１１７３８６
【考案の開示】
【考案が解決しようとする課題】
【０００９】
本考案は、普段の段階では堅固な状態にて閉鎖状態を実現する一方、必要に応じて開放可能であり、しかも開放した後に容易に元の閉鎖状態に復旧できるような隔て板の構成を提供することを課題としている。
【課題を解決するための手段】
【００１０】
前記課題を解決するため、本考案の基本構成は、
（１）マンション又はビルディングにおけるバルコニーを区分する隔て板であって、当該隔て板の一方側端部又はその付近は、蝶番又は両側から突出したビスによって水平方向又は鉛直方向に回転自在に支持されており、前記回転自在に支持された部位以外の位置において周囲の枠から突設された弾性体が隔て板の端部に設けられた凹部に嵌合し、かつ挟持されることによって閉鎖状態を実現することが可能であると共に、人力による弾性変形を原因として前記弾性体の嵌合及び挟持の状態を外すことによって開放状態を実現すること及び当該開放状態から人力による弾性変形を原因として前記凹部による嵌合及び挟持の状態に復元することによって、閉鎖状態に戻ることが可能であることに基づく隔て板、
（２）マンション又はビルディングにおけるバルコニーを区分する隔て板であって、当該隔て板の一方側端部は蝶番又は両側から突出したビスによって水平方向又は鉛直方向に回転自在に支持されており、前記回転材に支持されている部位以外の位置において、周囲の枠から先端に凹部を有する弾性体を突設し、隔て板の端部が当該凹部に嵌合し、かつ挟持されることによって閉鎖状態を実現することが可能であると共に、人力による弾性変形を原因として前記凹部による嵌合及び挟持の状態を外すことによって開放状態を実現すること及び当該開放状態から人力による弾性変形を原因として前記弾性体を前記嵌合及び挟持の状態を復元することによって、閉鎖状態に戻ることが可能であることに基づく隔て板、
からなる。
【考案の効果】
【００１１】
前記（１）、（２）の基本構成に基づく本考案においては、普段は堅固な状態にて隔て板の閉鎖状体を実現する一方、必要に応じて容易に隔て板を開放することが可能であり、しかも開放した後に容易に元の閉鎖状態に復旧することができる。
【００１２】
しかも、構成が比較的簡単であるため、製造コストにおいて極めて有利である。
【考案を実施するための最良の形態】
【００１３】
前記（１）、（２）の基本構成からも明らかなように、本考案においては、隔て板の一方側端部又はその付近を蝶番又はビスで回転自在に支持されていることを基本的要件としている。
【００１４】
図１（ａ）、（ｂ）、（ｃ）、（ｄ）は、前記（１）の基本構成を示すが、閉鎖状態を実現する為に隔て板１の端部に設けられた凹部に嵌合し、かつ表示される弾性体２は周囲の枠３の上側、下側、水平方向横側の何れか又は全てを選択することができる（図１（a）は全ての方向から突設した場合を示しているが、そのような場合に限定される訳ではない。）。
凹部５を設けるための取っ手５は、図１（ａ）に示すように、弾性体２に対応する位置に通常設けられているが、隔て板１の端部の側部、上部、下部の何れか又は全てによって設けることも可能である。
【００１５】
図１（ａ）は、ビス４１を枠３及び隔て板１の双方に上下方向に固着することによって、水平方向に回転自在となっている状態を示しているが、ビス４１を水平方向に固着することによって、隔て板１を鉛直方向に回転する構成もまた当然可能である（但し、通常は水平方向に回転自在とする構成のほうが取扱上便利である。）。
【００１６】
前記（１）の基本構成において、図１（ｂ）に示すように、枠から突設された弾性体２は隔て板１の端部と嵌合し、かつ当該端部を挟持することによって閉鎖状態を実現し、人力を伴っていない自然発生的な力(具体的には暴風雨のような極端な場合を除く通常の風等による力)が作用することによって弾性変形が生じたとしても、前記嵌合及び挟持の状態を維持していることを不可欠とする。
【００１７】
図１（ｃ）に示すように、逆に、開放状態に至るためには、弾性変形に基づいて弾性体が前記嵌合及び挟持の状態から外れる程度の人力による回転モーメントの付加を必要とし、更には、図１（ｄ）に示すように、開放状態から閉鎖状態に戻る場合にも、弾性変形を原因として前記嵌合及び挟持の状態に戻るような人力による回転モーメントの付加を必要とする。
【００１８】
前記（２）の構成は、凹部を設ける部位が隔て板の端部ではなく、弾性体の端部である点において、前記（１）の構成と相違している。
【００１９】
図２（ａ）、（ｂ）、（ｃ）、（ｄ）は、前記（２）の基本構成を示すが、前記（２）の基本構成と同様に、弾性体２は上側、下側、水平方向横側の何れか又は全ての位置を選択することができる（図２（a）は全ての方向から突設した場合を示しているが、そのような場合に限定される訳ではない。）。
【００２０】
図２（ａ）は、蝶番４２を枠３及び隔て板１の双方に水平方向側部から固着することによって水平方向に回転自在となっている状態を示すが、蝶番４２を上下方向端部から固着することによって、隔て板１を鉛直方向に回転する構成もまた当然可能である（但し、通常は水平方向に回転自在とする構成のほうが取扱上便利である。）。
【００２１】
前記（２）の基本構成においても、図２（ｄ）に示すように、枠から突設された弾性体２は隔て板１の端部と嵌合し、かつ当該端部を挟持することによって閉鎖状態を実現し、人力を伴っていない自然発生的な力(具体的には暴風雨のような極端な場合を除く通常の風等による力)が作用することによって弾性変形が生じたとしても、前記嵌合及び挟持の状態を維持していることを不可欠とする。
【００２２】
図２（ｃ）に示すように、逆に、開放状態に至るためには、弾性変形を原因として弾性体が前記嵌合及び挟持の状態から外れる程度の人力による回転モーメントの付加を必要とし、更には、図２（ｄ）に示すように、開放状態から閉鎖状態に戻る場合にも、弾性変形を原因として前記嵌合及び挟持の状態に戻るような人力による回転モーメントの付加を必要とする。
【００２３】
前記（１）及び（２）の基本構成において、弾性体は一方では、閉鎖段階において前記嵌合及び挟持の状態を維持し、他方では前記のような人力による回転モーメントの付加に伴う弾性変形を原因として閉鎖段階から開放段階に至ることを可能とし、更には開放段階から閉鎖段階に戻ることも可能とするためには、弾性体を構成する素材の弾性変形の程度及び弾性体の形状を適宜設計し、かつ選択することになる。
【００２４】
特に基本構成（２）の場合には、図２に示すように、突起２の断面のコーナー部分の端部の表面が内側及び外側の双方において滑らかに湾曲した状態とすることによって、閉鎖状態から開放状態への移行、及びその逆の復元を容易に実現することができるが、このように滑らかに湾曲した形状のみに固定される訳ではない。
【００２５】
図１及び図２において枠３は、隔てドアの上下及び水平方向の左右両側の４方向において設けられた場合を示すが、枠は、ビス４１又は蝶番４２による支持状態、及び弾性体と隔て板１の端部との嵌合及び挟持を実現するうえで必要な部位に設ければ良く常に前記のような４方向に設けることを必要としている訳ではない。
【００２６】
しかも、枠３は、建物を構成する柱及び梁によっても兼用可能であって、必ずしも柱及び梁と別に設けることを不可欠としている訳ではない。
【００２７】
以下、実施例に即して説明する。
【実施例１】
【００２８】
実施例１は、図３に示すように、隔て板を上下二段構造とし、下側の隔て板にて閉鎖状態から解放状態への実現及び、開放状態から閉鎖状態への復元が可能であることを特徴としている。
【００２９】
このような隔て板１を２段構成とし、上側の隔て板１については、開放とし、下側のみを開放可能とした場合には、暴風雨等の異常な風圧によって隔て板が嵌合及び挟持の状態から外れることを防止する確率を高くすることができ、極めて便利である。
尚、図３はビス４１を上側の正方向に設け、隔て板１を鉛直方向に回転可能な場合を示すが、ビス４１又は蝶番４２を下側に設ける構成も不可能ではない（但し、そのような実施形態は通常されない）。
【実施例２】
【００３０】
実施例２は、隔て板１の素材として、エンジニアリングプラスチックを採用したことを特徴としている。
【００３１】
プラスチックの内には、所謂広い使用範囲を有している汎用プラスチックと、機械的な強度を有しているエンジニアリングプラスチックに分類されるが、実施例１においては、隔て板１自体を人力によって破壊することは不要であることに基づき、エンジニアプラスチックを採用している。
このようなエンジニアプラスチックによって、閉鎖状態の場合には、隔て板１がアクシデント又は風圧等によって安易に破壊されることを防止することができる。
前記エンジニアプラスチックの典型例としては、ポリカーポネイト樹脂及びＡＢＳ樹脂等を挙げることができる。
【産業上の利用可能性】
【００３２】
本考案は、バルコニーを設けるような建物の建築に関連する産業分野において利用することが可能である。
【図面の簡単な説明】
【００３３】
【図１】前記（１）の基本構成を示しており、（ａ）は平面図であり、（ｂ）、（ｃ）、（ｄ）は突起物と隔て板の端部及びその付近の関係を示す断面図である。
【図２】前記（２）の基本構成を示しており、（ａ）は平面図であり、（ｂ）（ｃ）、（ｄ）を突起物と隔て板の端部の関係を示す断面図である。
【図３】実施例１の構成を示す平面図である。
【符号の説明】
【００３４】
１．隔て板
２．弾性体
３．枠
５．凹部
４１．ビス
４２．蝶番
５１．取っ手
【図１】
0003127746.tif 000003
【図２】
0003127746.tif 000004
【図３】
0003127746.tif 000005
【手続補正書】
【提出日】平成18年9月29日(2006.9.29)
【手続補正１】
【補正対象書類名】実用新案登録請求の範囲
【補正対象項目名】請求項２
【補正方法】変更
【補正の内容】
【請求項２】
マンション又はビルディングにおけるバルコニーを区分する隔て板であって、当該隔て板の一方側端部は蝶番又は両側から突出したビスによって水平方向又は鉛直方向に回転自在に支持されており、前記回転自在に支持されている部位以外の位置において、周囲の枠から先端に凹部を有する弾性体を突設し、隔て板の端部が当該凹部に嵌合し、かつ挟持されることによって閉鎖状態を実現することが可能であると共に、人力による弾性変形を原因として前記凹部による嵌合及び挟持の状態を外すことによって開放状態を実現すること及び当該開放状態から人力による弾性変形を原因として前記弾性体を前記嵌合及び挟持の状態を復元することによって、閉鎖状態に戻ることが可能であることに基づく隔て板。